(57)【要約】【課題】座ったままの状態で、一定の範囲で椅子自体が、前後左右又は回転が自在となっており、姿勢をバランス良く保持しなければ、自動的に傾斜し、姿勢を正すことが求められる姿勢矯正用椅子を提供することを課題とする。 【解決手段】円形の台座１、リング状緩衝材２、座部３からなる姿勢矯正用椅子４であって、台座１は中心部に円形の凹陥部５を有する円盤状の突起部６からなり、座部３は座面７と下面８を有し下面８の中心に先端が球体９となっているポール１０を備え、前記台座１の凹陥部５にポール１０の球体９がゆるく嵌合する構造を有し、台座１の突起部６と座部３の下面８との間に、台座１のポール１０が貫通するリング状緩衝材２を備えていることを特徴とする姿勢矯正用椅子。【選択図】  図１４
2010158329.tif 000002
【特許請求の範囲】
【請求項１】
円形の台座１、リング状緩衝材２、座部３からなる姿勢矯正用椅子４であって、台座１は中心部に円形の凹陥部５を有する円盤状の突起部６からなり、座部３は座面７と下面８を有し下面８の中心に先端が球体９となっているポール１０を備え、前記台座１の凹陥部５にポール１０の球体９がゆるく嵌合する構造を有し、台座１の突起部６と座部３の下面８との間に、台座１のポール１０が貫通するリング状緩衝材２を備えていることを特徴とする姿勢矯正用椅子。
【請求項２】
前記円形の台座１は、半径が８〜１５ｃｍの円盤であり、座部３は幅が１０〜１２ｃｍの楕円形を呈していることを特徴とする請求項１記載の姿勢矯正用椅子。
【請求項３】
前記ポール１０の球体９は半径が１．５〜２．０ｃｍであり、台座１の凹陥部５は球体９よりもやや大きい１．７〜３．０ｃｍの球状の窪みを有することを特徴とする請求項１又は２記載の姿勢矯正用椅子。
【請求項４】
前記円形の台座１の下面と座部３の座面７との間隔が７〜１０ｃｍであり、ポール１０の高さが３．５〜５．５ｃｍであることを特徴とする請求項１〜３のいずれか一項に記載の姿勢矯正用椅子。
【請求項５】
前記リング状緩衝材２がスポンジからなり、円形の台座１と座部３の座面７との平衡状態を維持するとともに、前後左右又は回転による負荷時に傾くことが可能であり、負荷が開放された時点で、再度平衡を保持する柔軟性を備えた材料であることを特徴とする請求項１〜４のいずれか一項に記載の姿勢矯正用椅子。
【請求項６】
前記台座１の凹陥部５に、複数の溝１１と中央に台座１の底面に貫通する貫通孔１２を備えていることを特徴とする請求項１〜５のいずれか一項に記載の姿勢矯正用椅子。
【発明の詳細な説明】
【技術分野】
【０００１】
本発明は、座った状態で、一定の範囲で椅子自体が、前後左右又は回転が自在となっており、姿勢をバランス良く保持しなければ、自動的に傾斜し、姿勢を正すことが求められる姿勢矯正用椅子に関する。
【背景技術】
【０００２】
最近、事務用機器であるパソコン又はゲームなど、座ったままでキーボードを操作する電子機器が非常に多くなっている。この場合、早期に仕事を進める関係から、あるいはゲームに熱中する余り、画面やキーボードに顔を近づけことが多くなるために、姿勢が次第に前かがみになり、近視あるいはドライアイなどの問題も出てきている。
通常、椅子自体の上下の調節が可能であるから、好ましい目の位置や姿勢があり、一般には目の高さが、パソコンよりも上で、見下ろすような姿勢が良いとされているが、これも個人差があって、人それぞれ自前の姿勢を保持しているようである。
【０００３】
しかし、問題はパソコンの長時間の姿勢が問題であり、パソコンの使用時には姿勢を正してはいるが、気がつかない内に、姿勢が悪くなり、著しい疲労感に襲われることが多い。また、最初から非常に悪い姿勢でパソコンの操作を行う人もいる。このような場合に、自動的に姿勢を保持するような機器は存在していない。
他人から、「姿勢が悪いよ」とか言われ、あるいは肩を叩かれる注意を与えられて、その姿勢に気付くことが多い。通常、事務の管理を行って場合には、一斉に休憩時間をとり、回復する職場が存在するが、そのようなことは稀な職場である。
【０００４】
以上から、座ったままで、正しい姿勢が保持できれば、長時間のパソコン操作でも、姿勢が悪くなり、著しい疲労感に襲われることを避けることが可能であると思われるのであるが、現在のところ、そのような機器は存在していない。
一般に、体力を向上させるとか、体のバランスを良くするという意味での機器は存在するようではあるが、事務作業をしている状態で、それを行う機器はない。
【発明の開示】
【発明が解決しようとする課題】
【０００５】
本発明は、上記のような問題点に鑑みてなされたものであり、その目的とするところは、座ったままの状態で、一定の範囲で椅子自体が、前後左右又は回転が自在となっており、姿勢をバランス良く保持しなければ、自動的に傾斜し、姿勢を正すことが求められる姿勢矯正用椅子を提供することを課題とする。
【課題を解決するための手段】
【０００６】
以上から、本願は以下の１）〜６）の発明を提供する。
１）円形の台座１、リング状緩衝材２、座部３からなる姿勢矯正用椅子４であって、台座１は中心部に円形の凹陥部５を有する円盤状の突起部６からなり、座部３は座面７と下面８を有し下面８の中心に先端が球体９となっているポール１０を備え、前記台座１の凹陥部５にポール１０の球体９がゆるく嵌合する構造を有し、台座１の突起部６と座部３の下面８との間に、台座１のポール１０が貫通するリング状緩衝材２を備えていることを特徴とする姿勢矯正用椅子。
「姿勢矯正用椅子」という意味は、椅子に腰掛けた状態で、姿勢を正すことができるので「矯正用」としたが、その機能から、姿勢の「調節用」又は姿勢の「制御用」ということもできる。
【０００７】
２）前記円形の台座１は、半径が８〜１５ｃｍの円盤であり、座部３は幅が１０〜１２ｃｍの楕円形を呈していることを特徴とする上記１）記載の姿勢矯正用椅子。
台座１はある程度安定感がある方が望ましいが、大きくなるとそれだけ、重量がかさみ、持ち運びに不便となるので、半径が８〜１５ｃｍの円盤であることが望ましく、さらに８〜１０ｃｍ程度にすることが好ましい。
【０００８】
３）前記ポール１０の球体９は半径が１．５〜２．０ｃｍであり、台座１の凹陥部５は球体９よりもやや大きい１．７〜３．０ｃｍの球状の窪みを有することを特徴とする上記１）又は２）記載の姿勢矯正用椅子。
この球体９の半径は、後述するように、姿勢を調節する意味で重要であり、極端な傾斜は避ける必要があり、半径が１．５〜２．０ｃｍであることが望ましい。また、座１の凹陥部５は球体９が、ある程度自由に傾くことができるように、球体９よりもやや大きい１．７〜３．０ｃｍの球状の窪みに調節するのが望ましい。この機能については後述する。
【０００９】
４）前記円形の台座１の下面と座部３の座面７との間隔が７〜１０ｃｍであり、ポール１０の高さが３．５〜５．５ｃｍであることを特徴とする上記１）〜３）のいずれか一項に記載の姿勢矯正用椅子。
この台座１の下面と座部３の座面７との間隔については、任意ではあるが、好適な間隔が７〜１０ｃｍである。ポール１０の高さについても任意ではあるが、適度の高さは３．５〜５．５ｃｍである。
【００１０】
５）前記リング状緩衝材２がスポンジからなり、円形の台座１と座部３の座面７との平衡状態を維持するとともに、前後左右又は回転による負荷時に傾くことが可能であり、負荷が開放された時点で、再度平衡を保持する柔軟性を備えた材料であることを特徴とする上記１）〜４）のいずれか一項に記載の姿勢矯正用椅子。
このリング状緩衝材２の材質は上記の機能が維持できれば、特に制限はないが、スポンジが好適である。また、摩耗や機能が維持できなくなった場合には、交換できるように、加工が容易でかつ安価な材料であることが望ましい。
【００１１】
６）前記台座１の凹陥部５に、複数の溝１１と中央に台座１の底面に貫通する貫通孔１２を備えていることを特徴とする上記１）〜５）のいずれか一項に記載の姿勢矯正用椅子。この溝１１と貫通孔１２は、ポール１０の球体９と台座１は中心部に円形の凹陥部５との摩耗を減少させる効果があり、また貫通孔１２はごみが詰まった時の清掃に役に立つ効果を有する。
【発明の効果】
【００１２】
本発明によって、座ったままの状態で、椅子自体が一定の範囲で、前後左右又は回転が自在となっており、姿勢をバランス良く保持しなければ、自動的に傾斜し、姿勢を正すことが求められる姿勢矯正用椅子を提供することができるという優れた効果が得られる。
【発明を実施するための最良の形態】
【００１３】
次に、本発明を、図を使用して具体的に説明する。なお、この説明は好適な一例を示すもので、本発明はこれらの実施例に限定されるものではない。したがって、本発明の技術思想に含まれる変形、他の実施例又は態様は、全て本発明に含まれる。
【００１４】
図１９に、本願発明の姿勢矯正用椅子４を使用した例を示す。この場合、椅子の上に本願発明の勢矯正用椅子４を載せ、作業者が机に向かってパソコンを操作している様子を示す。このように、本願発明の姿勢矯正用椅子４は小型にできているので、通常の椅子の上に載置することができる。
また、この図１９では、机に向かってパソコンの操作をしているが、そのまま座椅子としても、同様に使用することが可能である。その位の高さに調節されている。
【００１５】
図１に、本願発明の姿勢矯正用椅子４の正面図を示す。この図１に示すように、姿勢矯正用椅子４は、円形の台座１、リング状緩衝材２、座部３からなる。本願発明の姿勢矯正用椅子４の側面図を図２に、平面図を図３に、底面図を図４に示す。
このように、姿勢矯正用椅子４の前後は幅が小さく、横に長くなっており、人間が腰掛けるにおよそ適合する形になっている。しかし、この幅及び長さは、一定の機能を有する。
【００１６】
本願発明は、人間が腰掛けた状態で、無意識の内にバランスをとり、姿勢を最適な状態に維持することが目的である。
したがって、座り心地を良くするのではなく、姿勢を崩した場合に、それが自然に分かるように、むしろ不安定な状態に置くことが重要である。しかし、その不安定さにも限界があり、ピンポイントで支持するのは必ずしも良いとは限らない。この意味で、姿勢正しく腰掛けた場合には安定で、姿勢を悪くして座した場合には、やや安定性を欠き、姿勢を正すということが自然と行われるようにすることが重要である。
【００１７】
人間が腰掛けた状態で、自らの姿勢を制御する場合には、両足が前にあるので、前後については比較的容易に調節することができる。また、背の方は、図１９に示すように、通常の椅子には背もたれがあり、背もたれが無い場合でも敢えて後ろに反り返る仕草というのは伸びをする程度で、殆どないと言える。
このようなことから、専ら姿勢を制御する必要がある場合は、前かがみになる場合である。この場合は、強くバランスが崩れるのが好ましいと言える。このようなことから、前後の幅は小さい方が好ましい。一方、左右の動きについては、前記のような支持又は意識的に姿勢制御することは殆どないと言える。
【００１８】
このため、注意すべきことは、多くの場合自然体と考えている本人が、体が傾斜していることがあることである。また、二本足で立っている場合よりも、座している方が、体が傾斜し易いと言える。このようなことから、姿勢矯正用椅子４の長さは、幅に比べて長い方が望ましい。しかし、姿勢矯正用椅子４の高さにもよるが、余り長いと傾斜角度が小さくなり、姿勢矯正用椅子４の機能が低下する。
以上について、この台座１の幅と長さは任意に調節可能ではあるが、多くのテストの結果、前記円形の台座１は、半径が８〜１５ｃｍの円盤であり、座部３は幅が１０〜１２ｃｍの楕円形を呈していることが最も好ましいことが分かった。本発明は、この点については、第２の発明の要件としている。
【００１９】
図５〜図８は、本願発明の姿勢矯正用椅子４の座部３の、正面図を図５に、右側面図を図６に、上面図を図７に、底面図を図８に示したものである。
座部３は、座面７と下面８を有しており、下面８の中心に先端が球体９となっているポール１０を有する。この先端が球体９になっているポール１０が、一定の重要な機能を有し、この姿勢矯正用椅子４に座った者が、姿勢をバランス良く保持しなければ、前後左右に傾き、場合によっては回転すら生ずる。このような状態では、例えばパソコン操作ができない。しかしながら、ほぼ姿勢を正すことができれば、安定した姿勢を維持でき、パソコン操作が可能となる。
【００２０】
図９〜図１１は、本願発明の姿勢矯正用椅子４の台座１を示すもので、図９は上面図、図１０は正面図（又は側面図とも言える）、図１１は底面図である。この台座１は中心部に円形の凹陥部５を有する円盤状の突起部６からなる。
この台座１の凹陥部５に、前記ポール１０の球体９がゆるく嵌合する構造となっており、前後左右に傾き、場合によっては回転すら生ずる機能を備える重要な役目を持っている。すなわち、ポール１０の球体９は半径を１．５〜２．０ｃｍとし、台座１の凹陥部５は球体９よりもやや大きい１．７〜３．０ｃｍの球状の窪みが形成されている。
【００２１】
このポール１０の球体９の半径と台座１の凹陥部５の球状の窪みとの関係は、一定の機能を有する。球体９の半径と台座１の凹陥部５の球状の窪みが同一の半径であるならば、座部３の下面８が単に傾斜するだけである。
しかし、図１８に示すように、台座１の凹陥部５は球体９よりもやや大きい球状の窪みを持つ場合には、例えば左に傾斜した場合には、図１８の図Ａに示すように、座部３の下面８が左にやや移動する。図１８の図Ｂは、それが移動しない場合である。
両者の対比から明らかなように、図１８の図Ｂの方はバランスをとり易い構造を持つが、図１８の図Ａの方、すなわち座部３の下面８が左にやや移動する場合は、バランスがより崩れやすいという機能を有している。これは、本願発明の目的に一致するものであり、さらに特異な機能を持つもので、第３の発明の構成要件としている。
【００２２】
さらに、台座１の凹陥部５に、複数の溝１１と中央に台座１の底面に貫通する貫通孔１２を備えている。この溝１１と貫通孔１２は、ポール１０の球体９と台座１は中心部に円形の凹陥部５との摩耗を減少させる効果があり、また貫通孔１２はごみが詰まった時の清掃に役に立つ効果を有する。
この溝１１と貫通孔１２は、本願発明の必須の要件ではないが、上記の特異な機能を有するものであり、必要に応じてこの構造を採用するのが望ましいと言える。
【００２３】
本願発明については、簡便に取り扱いができる姿勢矯正用椅子４を提供することを目的の一つとしている。したがって、大型化、重量型にすることは、本願発明の目的には合致しない。多くのテストの結果、円形の台座１の下面と座部３の上面７との間隔を７〜１０ｃｍとし、ポール１０の高さが３．５〜５．５ｃｍとするのが最適である。この構造は、上記台座１、座部３、ポール１０の球体９、台座１の凹陥部５の構造から、必然的に決められる、最適な条件であり、これは第４の発明の構成要件としている。
【００２４】
さらに、本願発明の姿勢矯正用椅子４は、リング状緩衝材２を備える。この平面図を図１２に、側断面図を図１３に示す。このリング状緩衝材２は、非腰掛状態において、円形の台座１と座部３の座面７との平衡状態を維持するためのものである。腰掛ける際に傾斜していては、腰掛が非常に不便である。しかし、一旦、腰掛けた際には、前後左右又は回転による負荷時に傾くことが可能であり、負荷が開放された時点で、再度平衡を保持する柔軟性を備えた材料であることが望ましいと言える。
このリング状緩衝材２の材質は上記の機能が維持できれば、特に制限はないが、樹脂性のスポンジが好適である。また、摩耗や機能が維持できなくなった場合には、交換できるように、加工が容易でかつ安価な材料であることが望ましい。
【００２５】
本願発明の姿勢矯正用椅子４の、組立図における座部３の長い方の側断面図を図１４に示す。また、組立図における座部３の幅方向の側断面図を図１５に示す。また、姿勢矯正用椅子４の組立時の様子を示す図を、図１６に示す。
さらに、図１７に座部３が傾斜した場合の様子の断面図を示す。リング状スポンジなどリング状緩衝材２は、座部３の平衡を維持すると共に、台座１の上面と座部３の下面８との間に指や物を挟み込む事故を防ぐ役目をする。
【００２６】
本願発明の姿勢矯正用椅子４の材質には、特に制限はない。しかし、軽量であること、重量がかかった場合の椅子としての丈夫さは必要である。このことから、軟質なリング状緩衝材２の材質を除き、木質材、アルミニウム又はその合金、チタン又はその合金、マグネシウム合金などの軽量金属材、さらには硬質樹脂材などが使用できる。これらの中で、加工が容易である木質材が好適な材料と言える。
【産業上の利用可能性】
【００２７】
本発明は、座ったままの状態で、椅子自体が一定の範囲で、前後左右又は回転が自在となっており、姿勢をバランス良く保持しなければ、自動的に傾斜し、姿勢を正すことが求められ、自動的に姿勢制御を行うことができるという優れた効果を有するので、姿勢矯正用椅子として有用である。
【図面の簡単な説明】
【００２８】
【図１】本願発明の姿勢矯正用椅子の正面図である。
【図２】本願発明の姿勢矯正用椅子の側面図である。
【図３】本願発明の姿勢矯正用椅子の平面図である。
【図４】本願発明の姿勢矯正用椅子の底面図である。
【図５】本願発明の姿勢矯正用椅子の座部の正面図である。
【図６】本願発明の姿勢矯正用椅子の座部の右側面図である。
【図７】本願発明の姿勢矯正用椅子の座部の上面図である。
【図８】本願発明の姿勢矯正用椅子の座部の底面図である。
【図９】本願発明の姿勢矯正用椅子の台座の上面図である。
【図１０】本願発明の姿勢矯正用椅子の台座の正面図（又は側面図）である。
【図１１】本願発明の姿勢矯正用椅子の台座の底面図である。
【図１２】本願発明の姿勢矯正用椅子に使用するリング状緩衝材の平面図である。
【図１３】本願発明の姿勢矯正用椅子に使用するリング状緩衝材の側断面図である。
【図１４】本願発明の姿勢矯正用椅子の組立図における座部の長い方から見た側断面図である。
【図１５】本願発明の姿勢矯正用椅子の組立図における座部の幅方向から見た側断面図である。
【図１６】本願発明の姿勢矯正用椅子の組立時の様子を示す説明図である。
【図１７】本願発明の姿勢矯正用椅子の座部が傾斜した場合の様子を示す断面図である。
【図１８】本願発明の姿勢矯正用椅子の座部が傾斜した場合の座部が移動する様子を示す説明図である。図１８の図Ａが移動した場合、図１８の図Ｂ移動しない場合である。
【図１９】本願発明の姿勢矯正用椅子を使用し、作業者が机に向かってパソコンを操作している様子を示す説明図である。
【符号の説明】
【００２９】
１：台座
２：リング状緩衝材
３：座部
４：姿勢矯正用椅子
５：凹陥部
６：突起部
７：座面
８：下面
９：球体
１０：ポール 
１１：溝
１２：貫通孔
【図１】
2010158329.tif 000003
【図２】
2010158329.tif 000004
【図３】
2010158329.tif 000005
【図４】
2010158329.tif 000006
【図５】
2010158329.tif 000007
【図６】
2010158329.tif 000008
【図７】
2010158329.tif 000009
【図８】
2010158329.tif 000010
【図９】
2010158329.tif 000011
【図１０】
2010158329.tif 000012
【図１１】
2010158329.tif 000013
【図１２】
2010158329.tif 000014
【図１３】
2010158329.tif 000015
【図１４】
2010158329.tif 000016
【図１５】
2010158329.tif 000017
【図１６】
2010158329.tif 000018
【図１７】
2010158329.tif 000019
【図１８】
2010158329.tif 000020
【図１９】
2010158329.tif 000021